【手続補正書】
【提出日】平成18年2月24日(2006.2.24)
【手続補正１】
【補正対象書類名】明細書
【補正対象項目名】特許請求の範囲
【補正方法】変更
【補正の内容】
【特許請求の範囲】
【請求項１】  ＣＡＤ（Ｃｏｍｐｕｔｅｒ  Ａｉｄｅｄ  Ｄｅｓｉｇｎ）を活用して実物を試作する過程において、利用者（１）と支援者（２）とが交信する相談窓口手段（１０１）と、利用者の要求に対して支援者が協調して良好なシミュレーションを実行するアプリケーション・サーバ（５ａ〜５ｎ）を選択実行する協調作業環境手段（１０２）と、該利用者の端末（４）と、支援者の端末（６）と、シミュレーション結果のＣＡＤデータに基づいて実際に試作を行うための装置とを含んでなるＣＡＤサービス・システム、および、シミュレーションを実行するシミュレーション実行サーバ（５ａ〜５ｎ）がネットワーク接続された構成において、
利用者からの作業要求に対して良好な支援者を選択し、該支援者へ連絡するステップと、
連絡を受けた支援者と利用者とが交信しながら共同して作業要求に最適なシミュレーション・ツールを選択できるようにするための環境を作り、選択結果を受け付けるステップと、
選択されたシミュレーション・ツールが実装されたシミュレーション実行・サーバへシミュレーションの実行を依頼するステップと、
該シミュレーションの実行結果を受信し、該結果のＣＡＤデータを格納し、該実行結果に対して利用者と支援者とが協調して結果の確認を行うことができるよう該結果を提示するステップと
を有するＣＡＤを用いた試作過程における協調作業支援方法。
【請求項２】  前項記載の該結果を提示するステップの後に、良好な結果が得られたときに、実際に試作を行う装置にＣＡＤデータを送出し、試作装置を駆動させ、試作結果を計測するステップと計測結果のデータをデータベースに蓄積格納するステップを有する請求項１記載のＣＡＤを用いた試作過程における協調作業支援方法。
【請求項３】  前記相談窓口手段において、支援者への連絡は電子メール、電話、テレビ電話を媒体とするものである請求項１記載のＣＡＤを用いた試作過程における協調作業支援方法。
【請求項４】  前記相談窓口手段が、ワールド・ワイド・ウエブを介して、利用者の試作作業の希望を受け付けることを特徴とする請求項１記載のＣＡＤを用いた試作過程における協調作業支援方法。
【請求項５】  利用者からの作業要求に良好な支援者を選択するときに、作業要求に対応可能な支援者の一覧を利用者に提示し、利用者が対応可能な支援者一覧から選択できるようにするステップを有する請求項１記載のＣＡＤを用いた試作過程における協調作業支援方法。
【請求項６】  利用者が対応可能な支援者一覧から選択するときに、複数の支援者を指定できるステップを有する請求項５記載のＣＡＤを用いた試作過程における協調作業支援方法。
【請求項７】  前記協調作業環境手段は利用者と支援者とが共通の討論領域を具備していることを特徴とする請求項１記載のＣＡＤを用いた試作過程における協調作業支援方法。【請求項８】  支援者と利用者とが交信しながら共同して作業要求に最適なシミュレーション・ツールを選択するときに、支援者の提案・コメントに基づいてシミュレーション・ツールを選択するステップを有する請求項１記載のＣＡＤを用いた試作過程における協調作業支援方法。
【請求項９】  前記協調作業環境手段は、利用者と支援者とが電話、テレビ電話、またはワールド・ワイド・ウエブを介して交信することを可能にするものであることを特徴とする請求項１記載のＣＡＤを用いた試作過程における協調作業支援方法。
【請求項１０】  前記協調作業環境手段は処理要求に対応したシミュレーション・ツールを実装しているインターネットに接続されたサーバを選択することを特徴とする請求項１記載のＣＡＤを用いた試作過程における協調作業支援方法。
【請求項１１】  前記協調作業環境手段は該協調作業環境手段とローカル・エリア・ネットワーク接続されたサーバ群の中から処理要求に対応したシミュレーション・ツールを実装しているサーバを選択することを特徴とする請求項１記載のＣＡＤを用いた試作過程における協調作業支援方法。
【請求項１２】  シミュレーション結果データと計測データを照合評価するときに、シミュレーション結果のＣＡＤデータと計測結果のデータ対応に、各々をビジュアル化し、照合評価する処理手段を有することを特徴とする請求項１記載のＣＡＤを用いた試作過程における協調作業支援方法。
【請求項１３】  シミュレーション結果のＣＡＤデータと計測データとの照合評価は、シミュレーション結果のデータと計測結果のデータ対応の各々をビジュアル化して照合し、照合の結果、差異が生じていたならば、その原因と対策方法をノウハウ情報として蓄積する処理手段を有する請求項１記載のＣＡＤを用いた試作過程における協調作業支援方法。【請求項１４】  利用者と支援者とが交信するための相談窓口処理プログラムと、利用者の要求に対して支援者が協調して良好なシミュレーションを実行することができるアプリケーション・サーバを選択実行する協調作業環境処理プログラムとからなるプログラムであって、
利用者から受け付けた作業要求に対して良好な支援者を選択し、該支援者へ連絡するステップと、
連絡を受けた支援者と利用者とが交信しながら共同して作業要求に最適なシミュレーション・ツールを選択することができるようにするステップと、
選択されたシミュレーション・ツールが実装されたサーバへシミュレーションの実行を依頼するステップと、
シミュレーション処理の実行結果を受信し、結果の確認を行うステップと、
確認の結果、良好な結果が得られたときに、利用者の端末へ結果のデータを送出するステップと、
試作を行う装置にＣＡＤデータを送出するステップと、
試作品の計測結果の計測データを収集し、データベースに蓄積格納するステップと、
シミュレーション結果のＣＡＤデータと計測結果の計測データを各々ビジュアル化して照合するステップと、
照合の結果、差異が生じたときには、原因と対策方法をノウハウ情報として蓄積するステップと
を有するＣＡＤを用いた試作過程における協調作業支援プログラム。  
【請求項１５】  利用者と支援者とが交信するための相談窓口処理プログラムと、利用者の要求に対して支援者が協調して良好なシミュレーションを実行することができるアプリケーション・サーバを選択実行する協調作業環境処理プログラムとからなるプログラムをコンピュータにおいて実行するための指示を記録したコンピュータ読み取り可能な記録媒体であって、
前記プログラムは、
利用者からの作業要求に対して良好な支援者を選択し、該支援者へ連絡するステップと、  
連絡を受けた支援者と利用者とが交信しながら共同して作業要求に最適なシミュレーション・ツールを選択することができるようにするための環境を作り、選択結果を受け付けるステップと、
選択されたシミュレーション・ツールが実装されたサーバへシミュレーションの実行を依頼するステップと、  
シミュレーション処理の実行結果を受信し、結果の確認を行うことができるよう該結果を提示するステップと、
確認の結果、良好な結果が得られたときに、試作を行う装置にＣＡＤデータを送出するステップと、
試作品の計測結果の計測データを収集し、データベースに蓄積格納するステップと、  シミュレーション結果のＣＡＤデータと計測結果の計測データを各々ビジュアル化して照合するステップと、
照合の結果、差異が生じたときには、原因と対策方法をノウハウ情報として蓄積するステップと
を含むものである、記録媒体。
【請求項１６】  ＣＡＤ（Ｃｏｍｐｕｔｅｒ  Ａｉｄｅｄ  Ｄｅｓｉｇｎ）を活用して実物を試作する過程において、利用者（１）と支援者（２）とが交信する相談窓口手段（１０１）と、利用者の要求に対して支援者が協調して良好なシミュレーションを実行するアプリケーション・サーバ（５ａ〜５ｎ）を選択実行する協調作業環境手段（１０２）と、該利用者の端末（４）と、支援者の端末（６）と、シミュレーション結果のＣＡＤデータに基づいて実際に試作を行うための装置とを含んでなるＣＡＤサービス・システムであって、
シミュレーションを実行するシミュレーション実行サーバ（５ａ〜５ｎ）はネットワーク接続されており、
利用者からの作業要求に対して良好な支援者を選択し、該支援者へ連絡するステップと、
連絡を受けた支援者と利用者とが交信しながら共同して作業要求に最適なシミュレーション・ツールを選択できるようにするための環境を作り、選択結果を受け付けるステップと、
選択されたシミュレーション・ツールが実装されたシミュレーション実行・サーバへシミュレーションの実行を依頼するステップと、
該シミュレーションの実行結果を受信し、該結果のＣＡＤデータを格納し、該実行結果に対して利用者と支援者とが協調して結果の確認を行うことができるよう該結果を提示するステップと
を有するＣＡＤを用いた試作過程における協調作業支援システム。